(57)【要約】【課題】  受験者の作成したＣＡＤモデル・データの採点を計算機等のデータ処理手段によって行い、採点に要する工数を削減するＣＡＤ試験採点システムを得る。【解決手段】  ＣＡＤ実技試験の問題データ１２、模範解答データ１１、及び受験者解答データ１３を登録しておくデータベース２と、受験者解答データ１３の採点に用いる採点項目を設定する入力装置３と、入力装置３により設定された採点項目に沿って問題データ１２に対応する模範解答データ１１と受験者解答データ１３とを比較して採点を行うデータ処理装置１と、データ処理装置１によって作成された採点結果１８を出力する出力装置４とを備えた。【選択図】        図１
2006251203.tif 000002
【特許請求の範囲】
【請求項１】
ＣＡＤ実技試験の問題データ、模範解答データ、及び受験者解答データを登録しておくデータベースと、
前記受験者解答データの採点に用いる採点項目を設定する入力手段と、
前記入力手段により設定された採点項目に沿って前記問題データに対応する模範解答データと受験者解答データとを比較して採点を行うデータ処理手段と、
前記データ処理手段によって作成された採点結果を出力する出力手段とを備えたＣＡＤ試験採点システム。
【請求項２】
データ処理手段は、問題データの内容が新規のＣＡＤモデル・データを作成するものであるとき、模範解答データ及び受験者解答データの示す各ＣＡＤモデルの体積、表面積、重心、及び寸法を比較して完全に一致したとき正解として採点することを特徴とする請求項１記載のＣＡＤ試験採点システム。
【請求項３】
データ処理手段は、模範解答データ及び受験者解答データの示す各ＣＡＤモデルが完全に一致しなかったとき、入力手段によって設定された採点項目の内容に沿う採点基準を満たしているか否かを判定して採点することを特徴とする請求項２記載のＣＡＤ試験採点システム。
【請求項４】
データ処理手段は、問題データと受験者解答データとを比較して問題データに対応する解答データがないと判定したとき未解答として模範解答データを用いた採点を行わないことを特徴とする請求項１記載のＣＡＤ試験採点システム。
【請求項５】
データ処理手段は、問題データがフィーチャの変更を行わない制約条件を含んでいるとき、当該問題データの構造と受験者解答データの構造とを比較することを特徴とする請求項１記載のＣＡＤ試験採点システム。
【請求項６】
データ処理手段は、採点により不正解とした受験者解答データに含まれる情報を前記採点結果に添付することを特徴とする請求項１記載のＣＡＤ試験採点システム。
【請求項７】
データ処理手段は、問題データの内容がＣＡＤモデル・データを変更するものであるとき、当該問題データに対応する模範解答データのフィーチャＩＤ及び変更点と受験者解答データのフィーチャＩＤ及び変更点とを比較することを特徴とする請求項１記載のＣＡＤ試験採点システム。
【請求項８】
データ処理手段が用いる採点項目をデータベースへ登録する採点項目作成手段を備え、
入力手段は、前記データベースに登録されている採点項目の中から所望のものを選択することを特徴とする請求項１記載のＣＡＤ試験採点システム。
【請求項９】
データ処理手段は、対応できない採点項目が採点項目作成手段から登録されたとき、前記採点項目に沿った採点を行わないで採点結果に該採点項目を含めることを特徴とする請求項８記載のＣＡＤ試験採点システム。
【請求項１０】
データ処理手段は、採点を行っていない採点項目にその旨を示す記号を添付することを特徴とする請求項９記載のＣＡＤ試験採点システム。
【発明の詳細な説明】
【技術分野】
【０００１】
この発明はＣＡＤ実技試験により作成されたＣＡＤモデル・データを採点するＣＡＤ試験採点システムに関するものである。
【背景技術】
【０００２】
ＣＡＤ実技試験の評価ならびに採点は、当該試験の課題について受験者が作成したＣＡＤモデル・データをＣＡＤ装置によって形状等に表示し、ＣＡＤモデル・データの作成履歴やフィーチャ構造等を採点者の判断によって採点を行っている。なお、ここでフィーチャとは３次元ＣＡＤによって形状等を作成するときの最小構成単位である。
また、従来のＣＡＤデータ評価装置として、作成した３次元ＣＡＤデータの形状の複雑度に関するパラメータと、当該３次元ＣＡＤデータのモデル構造の複雑度に関するパラメータとを対象データ評価値算出手段によって算出し、比較対象データベースに格納されている比較対象ＣＡＤデータの形状の複雑度及びモデル構造の複雑度を参照データ評価値算出手段によって算出し、対象データ評価値算出手段によって求めた各複雑度と参照データ評価値算出手段によって求めた各複雑度とを表示装置に表示するものがある（例えば、特許文献１参照）。
【０００３】
【特許文献１】特開２００３−３２３４６０号公報（第４頁、図１〜図３）
【発明の開示】
【発明が解決しようとする課題】
【０００４】
従来のＣＡＤ実技試験の採点は以上のように行われているので、受験者の作成したＣＡＤモデル・データをＣＡＤ装置によって開き、解答のＣＡＤモデルを表示してその形状、寸法、フィーチャ構造などを採点者が確認して評価するため、採点する一つ一つのＣＡＤモデル・データをＣＡＤ装置に読み込んでフィーチャ構造等を調べる必要があり、受験者が多くなるほど採点に要する時間と労力が増大し、多くの工数を要していた。また、採点者はＣＡＤ機能を熟知している必要があるため採点者の人員確保が難しく、さらに複数の採点者によって全受験者のＣＡＤモデル・データを採点する場合には採点基準を事前に確認する必要があり、各項目について採点基準を確認すると相当な時間が掛かるという課題があった。
また、従来のＣＡＤデータ評価装置によって求められるＣＡＤモデル・データの複雑度は、フィーチャの組み合わせや面の分割方法に依存しない性質を有することから、このような装置にて複雑度を求めても受験者の技量を適切に採点することが難しいという課題があった。
【０００５】
この発明は上記のような課題を解決するためになされたもので、受験者の作成したＣＡＤモデル・データの採点を計算機等のデータ処理手段によって行い、採点に要する工数を削減するＣＡＤ試験採点システムを得ることを目的とする。
【課題を解決するための手段】
【０００６】
この発明に係るＣＡＤ試験採点システムは、ＣＡＤ実技試験の問題データ、模範解答データ、及び受験者解答データを登録しておくデータベースと、受験者解答データの採点に用いる採点項目を設定する入力手段と、入力手段により設定された採点項目に沿って問題データに対応する模範解答データと受験者解答データとを比較して採点を行うデータ処理手段と、データ処理手段によって作成された採点結果を出力する出力手段とを備えたものである。
【発明の効果】
【０００７】
この発明によれば、入力手段により設定された採点項目に沿って問題データに対応する模範解答データと受験者解答データとを比較して採点を行い、採点結果を出力手段から出力させるデータ処理手段を備えたので、採点を迅速に行うことが可能になり、採点時間の短縮及び人為工数の削減を図ることができるという効果がある。
【発明を実施するための最良の形態】
【０００８】
以下、この発明の実施の一形態を説明する。
実施の形態１．
図１は、この発明の実施の形態１によるＣＡＤ試験採点システムの構成を示す説明図である。なお、ここで取り扱うＣＡＤモデル・データは例えば３次元ＣＡＤデータである。
例えば計算機等からなるデータ処理装置（データ処理手段）１は、各ＣＡＤモデル・データを記憶格納しているデータベース２、オペレータに操作させる入力装置（入力手段）３、及び採点結果を出力する出力装置（出力手段）４に接続される。また、受験者が作成したＣＡＤモデル・データの採点に用いる採点プログラム１０を、例えば自らの記憶手段等に備えている。また、この採点プログラム１０をデータ処理装置１に接続された外部装置に格納しておき、入力装置３になされた操作に基づいてデータ処理装置１が適宜上記の外部装置から入力するように構成してもよい。
【０００９】
データベース２は、不揮発性の記憶手段から成り、模範解答のＣＡＤモデル・データ（以下、模範解答データと記載する）１１、ＣＡＤ実技試験に問題として出題されたＣＡＤモデル・データ（以下、問題データと記載する）１２、及び出題された問題の解答として受験者が作成したＣＡＤモデル・データ（以下、受験者解答データと記載する）１３を記憶している。模範解答データ１１、問題データ１２、及び受験者解答データ１３は、いずれも３次元ＣＡＤモデルの形状などを表すデータで、それぞれ複数のフィーチャによって構成されている。各データを構成するフィーチャは、それぞれのフィーチャを識別するＩＤを有している。
【００１０】
入力装置３は、オペレータに操作させるキーボード１４を備え、例えばディスプレイ装置等の表示手段などをさら備えたパソコン等から成り、この表示手段に図中破線で示した表示項目１５を表示する。表示項目１５は、例えば受験者名１６及び採点項目１７等を有する。出力装置４は、データ処理装置１が採点プログラム１０を用いて処理した採点結果１８を出力する、例えば採点結果１８の印字出力を行うプリンタや採点結果１８を表示するディスプレイ装置等である。採点項目作成装置（採点項目作成手段）２０は、例えばデータベース２へ接続されたパソコン等から成り、オペレータの操作に従って各出題問題に応じた採点項目をデータベース２へ登録するものである。
【００１１】
次に動作について説明する。
図２は、実施の形態１によるＣＡＤ試験採点システムの動作を示すフローチャートである。なお、ここで採点する試験問題は、例えば複数の大問から成り、さらに各大問の中に複数の小問を設けてＣＡＤモデルを作成あるいは変更させるものである。
ＣＡＤ実技試験の模範解答として事前に作成されている模範解答データ１１、ＣＡＤ実技試験の問題として出題された問題データ１２、受験者がＣＡＤ実技試験の解答として作成した受験者解答データ１３を採点処理の前準備としてデータベース２へ登録・格納しておく。また、このデータベース２には問題データ１２即ち実技試験として出題された各問題に対応するように作成された採点項目を登録し、また実技試験を受験した各受験者名を受験者解答データ１３と対応させて登録しておく（ステップＳＴ１０１）。
実施されたＣＡＤ実技試験の問題や受験者などを表す各データがデータベース２に登録された後、オペレータの操作によって入力装置３から出力される制御信号等によりデータ処理装置１が所定の処理動作を開始する。
【００１２】
入力装置３のキーボード１４等を操作しているオペレータによって、受験者名や採点項目が指定され、これらの受験者名や採点項目から成る採点情報の読み込み指示がなされると、その旨を示す制御信号等が入力装置３からデータ処理装置１へ送信され、当該データ処理装置１はデータベース２から上記の制御信号が示す採点情報を読み込む（ステップＳＴ１０２）。次にデータ処理装置１は、ステップＳＴ１０２の過程で入力した採点情報中の受験者の受験者解答データ１３と模範解答データ１１とをデータベース２から読み出す（ステップＳＴ１０３）。データベース２から入力した模範解答データ１１と受験者解答データ１３との中から、ステップＳＴ１０２の過程で入力した採点情報中の採点項目に関連する情報を抽出する（ステップＳＴ１０４）。模範解答データ１１及び受験者解答データ１３からそれぞれ抽出した情報を後述するように比較して採点を行い、採点結果１８を生成して出力装置４へ出力する（ステップＳＴ１０５）。
【００１３】
データ処理装置１は、ここまで採点した大問に対して指示された採点項目を全て採点したか否かを判定する（ステップＳＴ１０６）。まだ採点していない採点項目があると判定した場合は、ステップＳＴ１０４の過程に戻って、その過程以降を未処理の採点項目を同様に処理する。全ての採点項目を終了していると判定した場合は、試験問題として出題された大問を全て採点したか否かを判定する（ステップＳＴ１０７）。まだ採点していない大問があると判定した場合は、ステップＳＴ１０３の過程に戻って、未処理の採点項目についてそれ以降の過程を同様に処理する。全ての大問の採点を終了していると判定した場合は、入力装置３によって指定された受験者を全て採点したか否かを判定する（ステップＳＴ１０８）。指定された受験者全てを採点し終えたと判定した場合は、採点処理を終了し、まだ採点していない受験者がいると判定した場合は、ステップＳＴ１０２の過程に戻ってその過程以降を採点していない受験者の受験者解答データ１３に対して同様の処理を行う。
【００１４】
図３は、実施の形態１によるＣＡＤ試験採点システムの採点項目作成画面の一例を示す説明図である。採点項目は、前述のようにステップＳＴ１０１の過程で入力装置３をオペレータに操作させて所望の項目を選択させるものであるが、この選択がなされる前に予め各出題問題に応じた様々な採点内容を各項目として設定し、前述のようにデータベース２へ登録しておく。なお、採点項目作成装置２０は、作成した採点項目をデータベース２へ登録・格納しておけるように、前述のようにデータベース２と接続、あるいはデータベース２の動作を制御するデータ処理装置１等と接続されている。採点項目を設定するとき、採点項目設定装置２０は例えば自ら備える表示手段に図３に示すような設定画面を表示し、オペレータに各採点内容を入力設定させる。
【００１５】
図３に例示した画面では図中左上方に、出題された各問題を識別する「問題番号」及び「問題サブ番号」や、実技試験の問題として取り扱うＣＡＤモデルの「モデル名称」などを表示している。画面左端には「課題」の欄が設けられており、この欄には例えば課題として受験者に提示された「データム」を表示している。「課題」の欄の右隣には「採点項目」の欄が設けられており、「課題」に応じた採点内容を複数の項目として表示し、詳しくは「解答を行っている」、「既存のフィーチャのＩＤが変更されていない」などの採点において着目する要点を項目毎に表示している。
「採点項目」の欄の右隣にはプルダウンメニュー３０として「対応」の欄及び「採点項目定義」の欄が設けられている。「対応」の欄には「採点項目」毎に、採点プログラム１０を用いてデータ処理装置１が適切に採点することができるかを示す例えば○印などを表示している。
【００１６】
採点項目作成装置２０は、例えばこのような画面を表示して「採点項目」の欄において段落毎に表示されている各採点項目の右隣のプルダウンメニュー３０をオペレータに選択させる。オペレータは、画面表示されている複数の「採点項目」の中から、所望の項目が表示されている段において右隣の「採点項目定義」の欄に「採点する」のメッセージが表示されるように採点項目作成装置２０を操作する。採点項目としない場合はブランクとしておく。
画面表示にない項目を採点対象としたい場合、オペレータは「採点項目」の欄にその採点内容を入力し画面上に追記する。データ処理装置１は各採点項目の採点処理を行うとき、この追記された採点項目の処理を行わず、採点結果を有しない採点項目として処理する。このときデータ処理装置１によって作成された採点結果１８を出力装置４から出力すると、上記の追加された採点項目は採点結果の記載がない状態で出力され、後で採点者等によって採点が行われる。
【００１７】
データ処理装置１の採点処理は次のように行われる。なお、データベース２には、受験者解答データ１２として例えば受験者毎のフォルダを設け、さらに当該フォルダに出題問題ごとのファイルを設け、ファイル毎に解答であるＣＡＤモデル・データがまとめられて格納されている。また、問題データ１２は、問題毎にまとめたファイルとしてデータベース２に格納され、同様に模範解答データ１１も問題毎にまとめたファイルとして格納されている。
入力装置３の操作によって受験者と採点項目が指定されると、この指定された受験者の作成した受験者解答データ１２、詳しくは指定された受験者の受験者解答データ１２のフォルダをデータベース２から読み出す。また、上記の入力装置３により指定された採点項目の詳細な内容を示すデータをデータベース２から読み出し、同様に模範解答データ１１及び問題データ１２を読み出す。
【００１８】
読み出した受験者解答データ１３のファイルに付加されたファイル名などのファイル情報と問題データ１２のファイルのファイル情報とを比較し、受験者が各問題に対してそれぞれ解答を作成したか否かを調べる。
上記の問題データ１２のファイル情報にはその問題内容を示すものが含まれている。データ処理装置１は、このファイル情報から採点処理を行う問題データ１２の内容を判別する。問題内容がＣＡＤモデルを新規作成するものである場合には、受験者解答データ１３のフォルダ内に問題データ１２のファイル名と整合するファイル名があるか否かを調べ、問題データ１２の問題内容がＣＡＤモデル・データを編集・変更するものである場合には、受験者解答データ１３のフォルダ内に問題データ１１のファイルを更新したファイルがあるか否かを調べる。
【００１９】
受験者解答データ１３のフォルダ内に問題データ１２のファイル名と整合するファイル名があった場合や、受験者解答データ１３のフォルダ内に問題データ１１のファイルを更新したファイルがあった場合には、受験者が該ファイルに関連する問題の解答を作成したと判定してこの後、受験者解答データ１３のファイルの内容と模範解答データ１１のファイルの内容とを対比して採点を行う。
また、受験者解答データ１３のフォルダ内に問題データ１２のファイル名と整合するファイル名がない場合や、受験者解答データ１３のフォルダ内に問題データ１１のファイルを更新したファイルがない場合には、受験者が該各ファイルに関連する問題の解答を作成していないと判定して、後述する模範解答データ１２を用いた採点処理を行わず、該問題データ１１について未解答として採点結果を作成する。このように動作処理することにより、採点処理に要する時間を短縮することができる。
【００２０】
問題データ１１を成す各問題に対して解答者が解答を行っていると判断したとき、以下のように採点を行う。データ処理装置１は、例えばＣＡＤデータを作成する一般的なＣＡＤシステムと同様な機能を備え、採点プログラム１０を用いて各受験者が作成した受験者解答データ１３を採点するとき、上記の機能を用いて各受験者解答データ１３が示すＣＡＤモデルの体積、表面積、重心、寸法、質量などを算出し、またこれらの要素について模範解答データ１１の示すＣＡＤモデルについても同様に算出してそれぞれ要素毎に比較を行い、上記の２つのＣＡＤモデルの相違の内容から問題として指定した形状が形成されているか否かを採点し、完全に一致している場合を正解とする。例えば寸法の比較では、受験者解答データ１３の示すＣＡＤモデル全体に設定されている寸法と模範解答データ１１の示すＣＡＤモデル全体に設定されている寸法とを各々求めて比較・採点を行う。また、各採点項目に応じて各フィーチャに含まれている寸法を比較して採点する。このように採点すると受験者解答データ１３について、作成点の順番によらない評価を行うことができる。
採点を行った結果、不正解とした採点項目があるときには、該採点項目に関連する受験者解答データ１３の要素を、例えば寸法データ等の情報を後述するように採点結果に添付する。
【００２１】
また、データ処理装置１は各採点項目の内容に応じて受験者解答データ１３及び模範解答データ１１に含まれている情報を抽出し、例えば受験者解答データ１３と模範解答データ１１にそれぞれ含まれているフィーチャの種類、フィーチャ数、またフィーチャが有するパラメータなどを比較し、これらの相違の有無を判断して前述のように完全に一致した場合は正解として採点する。完全に一致せず相違が有った場合は、その違いの大きさに応じて、詳しくは、各採点項目の内容に沿った採点規準の条件を満たしているか否かを判定し、当該採点基準を満たしているとき採点することにより詳細に部分的な採点を行う。
また、問題の内容としてフィーチャの削除や再作成などの変更を行わないように制約条件を含ませた問題データ１１では、この問題データ１１と受験者解答データ１３とを比較し、これらのデータ構造や当該各データの示すＣＡＤモデルの構造の相違を抽出して、相違点の有無や、相違の度合い等に応じて採点する。
【００２２】
また、出題されたＣＡＤモデル・データを編集・変更する問題では、予め問題内容に沿って変更された後のＣＡＤモデル・データを模範解答データ１１として用意しておき、この模範解答データ１１と受験者解答データ１３の各データのフィーチャＩＤやＣＡＤモデル・データの構造などを比較し、特に問題が要求した変更点を比較して採点を行う。このときの比較結果に応じた採点処理は前述の説明と同様に行う。なお、フィーチャＩＤによりフィーチャの種類が判別され、またフィーチャ数などが特定される。
【００２３】
データ処理装置１により採点処理が困難な採点項目、即ち採点プログラム１０によって処理することができない内容の採点項目は、採点していない旨を示す記号等を添付して出力されるように採点結果１８を作成する。また採点結果１８の一覧表示に備考欄等設けておき、採点できなかった項目を後で採点者が判断するとき手掛かりになる情報を追記するようにしてもよい。
【００２４】
図４は、実施の形態１によるＣＡＤ試験採点システムから出力される採点結果の一例を示す説明図である。この図は、出力装置４が採点結果１８を出力表示する内容を例示したもので、問題番号の欄４０と採点項目の欄４１と採点結果の欄４２とを有している。データ処理装置１は、採点プログラム１０に基づいて全ての受験者の採点を行い、例えば採点結果１８を一覧表示する出力ファイルを作成する。出力装置４はこの出力ファイルに基づいて全受験者の採点結果１８を一覧表示し、また、例えば図４に示したように受験者毎に採点結果をまとめて出力する。
【００２５】
図４に例示した採点結果は、問題毎に設定されている全て採点項目を列挙し、採点結果の欄４２の図中左端に得点の有無を「０」と「１」を用いて示している。また、前述のようにデータ処理装置１が採点できなかった項目には「＊」の記号を付記している。またさらに、採点結果の欄４２には、得点が「０」即ち不正解の採点項目について、該採点項目の内容に関連する受験者解答データ１３に含まれる情報、即ちＣＡＤモデルを表す要素が表示され、前述のような寸法を表す数値データや角度を表す数値データなど、例えば図示した「ＡＮＧＬＥ＝…」などが表示される。データ処理装置１は、このように表示される採点結果１８を作成し、さらに採点結果１８を一覧表示する出力ファイルを作成し、出力装置４へ出力する。
【００２６】
以上のように実施の形態１によれば、入力装置３により設定された採点項目に沿って問題データ１２に対応する模範解答データ１１と受験者解答データ１３とを比較して採点を行うデータ処理装置１を備えたので、採点を迅速に行うことが可能になり、採点時間の短縮及び人為工数の削減を図ることができるという効果がある。
【図面の簡単な説明】
【００２７】
【図１】この発明の実施の形態１によるＣＡＤ試験採点システムの構成を示す説明図である。
【図２】実施の形態１によるＣＡＤ試験採点システムの動作を示すフローチャートである。
【図３】実施の形態１によるＣＡＤ試験採点システムの採点項目作成画面の一例を示す説明図である。
【図４】実施の形態１によるＣＡＤ試験採点システムから出力される採点結果の一例を示す説明図である。
【符号の説明】
【００２８】
１  データ処理装置（データ処理手段）、２  データベース、３  入力装置（入力手段）、４  出力装置（出力手段）、１０  採点プログラム、１１  模範解答のＣＡＤモデル・データ（模範解答データ）、１２  出題問題のＣＡＤモデル・データ（問題データ）、１３  受験者のＣＡＤモデル・データ（受験者解答データ）、１４  キーボード、１５  入力事項、１６  受験者名、１７  採点項目、１８  採点結果、２０  採点項目作成装置（採点項目作成手段）、３０  プルダウンメニュー、４０  問題番号の欄、４１  採点項目の欄、４２  採点結果の欄。
【図１】
2006251203.tif 000003
【図２】
2006251203.tif 000004
【図３】
2006251203.tif 000005
【図４】
2006251203.tif 000006